(57)【要約】【課題】ボイスコイルの振動に寄与する磁束について磁気効率を向上させる。【解決手段】スピーカの磁気回路３０が、上面３１ｂおよび下面３１ａを有するセンタープレート３１と、センタープレート３１の下面３１ａに配置された第１磁石３２と、センタープレート３１の上面３１ｂに、第１磁石３２と磁力が反発する向きで配置された第２磁石３３と、第２磁石３３の上面３３ａ側に配置されたトッププレート３４と、第１磁石３２の下面３２ａ側に配置された内周部３５１、及び、内周部３５１の外縁から第２磁石３３よりも高い位置まで延びた外筒部３５２、を有して形成されたヨーク３５と、を備えたことを特徴としている。【選択図】図４
2019176333.tif 000002
【特許請求の範囲】
【請求項１】
上面および下面を有するセンタープレートと、
前記センタープレートの下面に配置された第１磁石と、
前記センタープレートの上面に、前記第１磁石と磁力が反発する向きで配置された第２磁石と、
前記第２磁石の上面側に配置されたトッププレートと、
前記第１磁石の下面側に配置された内周部、及び、前記内周部の外縁から前記第２磁石よりも高い位置まで延びた外筒部、を有して形成されたヨークと、
を備えたことを特徴とするスピーカの磁気回路。
【請求項２】
前記外筒部が、前記第１磁石、前記センタープレート、前記第２磁石、及び前記トッププレート、それぞれとの間にギャップを形成していることを特徴とする請求項１に記載のスピーカの磁気回路。
【請求項３】
少なくとも前記トッププレートと前記外筒部との間の前記ギャップは、当該トッププレートの周方向について部分的に形成されており、
前記ギャップ以外の箇所については、前記ヨークが前記トッププレートに繋がっていることを特徴とする請求項２に記載のスピーカの磁気回路。
【請求項４】
振動板と、
前記振動板を振動させるボイスコイルと、
当該ボイスコイルを動作させるための、請求項１又は２記載の磁気回路と、
を備えたことを特徴とするスピーカ。
【請求項５】
移動体本体と、
前記移動体本体に搭載された、請求項４に記載のスピーカと、
を備えたことを特徴とする移動体。
【発明の詳細な説明】
【技術分野】
【０００１】
本発明は、スピーカの磁気回路、そのような磁気回路を備えたスピーカ、及び、そのようなスピーカが搭載された移動体に関する。
【背景技術】
【０００２】
従来、スピーカの磁気回路として、磁気的に互いに反発するように配置された２つの磁石を備えることで磁石からの磁束を効率よく利用できる磁気回路が提案されている（例えば、特許文献１参照。）。この特許文献１に記載の磁気回路では、センタープレートを上下に挟んで２つの磁石が配置される。このとき、２つの磁石が磁気的に互いに反発するように配置されているので、センタープレートの近傍では、上記の２つの磁石からの磁束が互いに向きが揃った状態で集中する。このように集中した磁束の中にボイスコイルを配置することで、ボイスコイルの振動に、２つの磁石の磁束を効率よく利用できることとなっている。
【先行技術文献】
【特許文献】
【０００３】
【特許文献１】特開２００３−２１９４９６号公報
【発明の概要】
【発明が解決しようとする課題】
【０００４】
ここで、各磁石の磁束は、センタープレート側と、その反対側と、で互いに逆向きとなる。センタープレート側の磁束は、上記のようにセンタープレートの近傍に配置されたボイスコイルの振動に利用される。その一方、各磁石から見てセンタープレートと反対側の磁束は、ボイスコイルの振動に寄与する磁束の向きに対し逆向きの磁束となって、ボイスコイルの振動に影響を与え、磁気効率を低下させる場合がある。
【０００５】
したがって、本発明の課題は、ボイスコイルの振動に寄与する磁束について磁気効率を向上させることができるスピーカの磁気回路、そのような磁気回路を備えたスピーカ、及び、そのようなスピーカが搭載された移動体を提供すること等が一例として挙げられる。
【課題を解決するための手段】
【０００６】
前述した課題を解決し目的を達成するために、請求項１に記載の本発明のスピーカの磁気回路は、上面および下面を有するセンタープレートと、前記センタープレートの下面に配置された第１磁石と、前記センタープレートの上面に、前記第１磁石と磁力が反発する向きで配置された第２磁石と、前記第２磁石の上面側に配置されたトッププレートと、前記第１磁石の下面側に配置された内周部、及び、前記内周部の外縁から前記第２磁石よりも高い位置まで延びた外筒部、を有して形成されたヨークと、を備えたことを特徴とする。
【図面の簡単な説明】
【０００７】
【図１】本発明の第１実施例に係る移動体を示す模式図である。
【図２】図１に示されているスピーカの内部構造を示す模式的な断面図である。
【図３】図１に断面が示されている磁気回路の外観斜視図である。
【図４】図３に示されている磁気回路を、図１にも示されている断面が見えるようにカットした状態で示すカット図である。
【図５】図２〜図４に示されている第１実施例の磁気回路に対する比較例の磁気回路を示す図である。
【図６】本発明の第２実施例に係る磁気回路を示す図である。
【図７】本発明の第３実施例に係る磁気回路を示す図である。
【発明を実施するための形態】
【０００８】
以下、本発明の実施形態を説明する。本発明の実施形態に係るスピーカの磁気回路は、センタープレートと、第１磁石と、第２磁石と、トッププレートと、ヨークと、を備える。センタープレートは、上面および下面を有する。第１磁石は、センタープレートの下面に配置される。第２磁石は、センタープレートの上面に、第１磁石と磁力が反発する向きで配置される。トッププレートは、第２磁石の上面側に配置される。ヨークは、第１磁石の下面側に配置された内周部、及び、内周部の外縁から第２磁石よりも高い位置まで延びた外筒部、を有して形成される。
【０００９】
本実施形態のスピーカの磁気回路では、まず、第１磁石の磁束のうち、センタープレートとは反対側の磁束は略ヨークを通過する。この磁束の少なくとも一部が、第１磁石の磁束においてボイスコイルの振動に寄与する磁束の向きに対し逆向きの磁束（以下、第１磁石の磁束における逆向き磁束と呼ぶ）となる。つまり、第１磁石の磁束における逆向き磁束については、略ヨークを通過することからボイスコイルの振動に与える影響は抑えられる。他方、第２磁石の磁束においてボイスコイルの振動に寄与する磁束の向きに対し逆向きの磁束（以下、第２磁石の磁束における逆向き磁束と呼ぶ）は、ヨークの外筒部の上端部と、第２磁石の上面側に配置されるトッププレートと、を経た経路を辿る。このとき、ヨークの外筒部が第２磁石よりも高い位置まで延びているので、第２磁石の磁束における逆向き磁束は、センタープレートから見て上方へと十分に離れた経路を辿ることとなる。これにより、この逆向き磁束についても、ボイスコイルの振動に与える影響が抑えられる。このように、本実施形態のスピーカの磁気回路によれば、ボイスコイルの振動に対する逆向き磁束の影響を抑えることができる。即ち、ボイスコイルの振動に寄与する磁束について磁気効率を向上させることができる。
【００１０】
ここで、本実施形態では、上記の外筒部が、第１磁石、センタープレート、第２磁石、及びトッププレート、それぞれとの間にギャップを形成している。
【００１１】
これにより、ボイスコイルは、センタープレートとヨークの外筒部とのギャップにおいて、センタープレートの近傍の磁束を良好に受けて振動することができる。そして、その振動を、トッププレートと外筒部とのギャップを介して、スピーカの振動板に良好に伝えることができる。
【００１２】
また、本実施形態において、少なくともトッププレートとヨークの外筒部の間のギャップは、当該トッププレートの周方向について部分的に形成されている。即ち、このギャップ以外の箇所において、ヨークとトッププレートが繋がっている。
【００１３】
ヨークがトッププレートに繋がっている箇所は、第２磁石の磁束における上述した逆向き磁束の良好な通路となる。これにより、この逆向き磁束をセンタープレートの近傍から一層離すことができるので、ボイスコイルの振動への影響を更に抑えることができる。
【００１４】
また、本発明の実施形態に係るスピーカは、振動板と、この振動板を振動させるボイスコイルと、このボイスコイルを動作させるための上述の磁気回路と、を備える。
【００１５】
本実施形態のスピーカによれば、ボイスコイルを動作させるために、上述の磁気回路を採用しているので、ボイスコイルの振動に寄与する磁束について磁気効率を向上させることができる。
【００１６】
また、本発明の実施形態に係る移動体は、移動体本体と、この移動体本体に搭載された、上述のスピーカと、を備える。
【００１７】
本実施形態の移動体によれば、ボイスコイルの振動に寄与する磁束について磁気効率を向上させることができる上述のスピーカが搭載されているので、移動体本体の内部における良好な音声環境を得ることができる。
【実施例】
【００１８】
以下、本発明の実施例について図を参照して具体的に説明する。まず、第１実施例について説明する。
【００１９】
図１は、本発明の第１実施例に係る移動体を示す模式図である。
【００２０】
本実施例における移動体１は乗用車であり、移動体本体１０の後部座席の後方にスピーカ２０が搭載されている。
【００２１】
図２は、図１に示されているスピーカの内部構造を示す模式的な断面図である。
【００２２】
本実施例におけるスピーカ２０は、フレーム２１、振動板２２、センターキャップ２３、ダンパー２４、ボイスコイル２５、ボイスコイルボビン２６、及び磁気回路３０、を備える。振動板２２は、その中央に貫通孔２２ａが設けられ、内周２２１がボイスコイルボビン２６に固定され、外周２２２がフレーム２１の上端部２１１に固定されている。また、この振動板２２の貫通孔２２ａが、ドーム状のセンターキャップ２３で塞がれている。ダンパー２４は、同心円状の波形に形成された円環状物であり、その内周２４１が、振動板２２の内周２２１と共にボイスコイルボビン２６に固定されている。また、ダンパー２４の外周２４２は、フレーム２１における中間部２１２に固定されている。
【００２３】
ボイスコイルボビン２６にはボイスコイル２５が巻かれており、詳細については後述する磁気回路３０が発生させる磁束中にボイスコイル２５が位置するように、ボイスコイルボビン２６が配置されている。ボイスコイル２５には、音声信号回路から出力音声に応じた信号電流が供給される。磁気回路３０が発生させる磁束中に位置するボイスコイル２５にこの信号電流が流れることで、ボイスコイル２５にローレンツ力が働き、その信号電流の波形に応じてボイスコイル２５が振動する。この振動は、ボイスコイルボビン２６を介して振動板２２に伝わり、振動板２２が振動する。これにより、スピーカ２０から音声が発生することとなる。
【００２４】
図３は、図１に断面が示されている磁気回路の外観斜視図であり、図４は、図３に示されている磁気回路を、図１にも示されている断面が見えるようにカットした状態で示すカット図である。これらの図３及び図４には、磁気回路３０とともに、ボイスコイル２５及びボイスコイルボビン２６が点線で示されている。
【００２５】
本実施例における磁気回路３０は、センタープレート３１、第１磁石３２、第２磁石３３、トッププレート３４、及びヨーク３５、を備えている。
【００２６】
センタープレート３１は、下面３１ａおよび上面３１ｂを有し、磁性材料で円板状に形成されている。本発明にいうセンタープレートの形状は円環状等でもよい。更に、本発明にいうセンタープレートは複数の部品によって形成されてもよい。本実施例におけるセンタープレート３１は、各々が磁性材料で円板状に形成された下面３１ａ側の第１プレート３１１と上面３１ｂ側の第２プレート３１２とが互いに重ね合わされた二重プレートとなっている。尚、ここに例示されている二重プレートは飽く迄も本発明にいうセンタープレートの一形態例に過ぎない。本発明にいうセンタープレートは、一枚の円板状や円環状に形成された一部品であってもよく、あるいは、３つ以上の部品を組合せて形成されたものであってもよい。
【００２７】
第１磁石３２は、センタープレート３１の下面３１ａに重ねられて配置された円板状の磁石である。
【００２８】
第２磁石３３は、センタープレート３１の上面３１ｂに重ねられて配置された円板状の磁石である。このとき、第２磁石３３は、第１磁石３２と磁力が反発する向き、即ち、第１磁石３２におけるセンタープレート３１側の極性と、第２磁石３３におけるセンタープレート３１側の極性と、が互いに同極性となる向きで配置されている。
【００２９】
トッププレート３４は、磁性材料で中央部が凹んだ円板状に形成され、第２磁石３３の上面３３ａ側に配置されている。トッププレート３４は、中央の凹んだ部分における第２磁石３３側の面が第２磁石３３の上面３３ａに重ねられている。
【００３０】
ヨーク３５は、磁性材料で内周部３５１と外筒部３５２とを有した形状に形成されている。内周部３５１は、上記のトッププレート３４と同様に、中央部が凹んだ円板状に形成され、第１磁石３２の下面３２ａ側に配置されている。内周部３５１は、中央の凹んだ部分における第１磁石３２側の面が第１磁石３２の下面３２ａに重ねられている。外筒部３５２は、内周部３５１の外縁から第２磁石３３よりも高い位置まで、具体的には、トッププレート３４の外縁まで円筒状に延びている。
【００３１】
本実施例では、ヨーク３５の外筒部３５２が、下側の第１円筒部分３５２ａと、上側の第２円筒部分３５２ｂと、が上下方向に積み重ねられて１つの円筒状に形成されている。第１円筒部分３５２ａは、内周部３５１の外縁からセンタープレート３１における第１プレート３１１と第２プレート３１２との境界と略同じ高さまで延びている。第２円筒部分３５２ｂは、この境界と略同じ高さからトッププレート３４の外縁まで延びている。
【００３２】
そして、外筒部３５２のうちの第１円筒部分３５２ａと内周部３５１とが一体成形されて、磁気回路３０における下半分を占める第１外殻部３０ａとなっている。また、外筒部３５２のうちの第２円筒部分３５２ｂとトッププレート３４とが一体成形されて、磁気回路３０における上半分を占める第２外殻部３０ｂとなっている。第１外殻部３０ａと第２外殻部３０ｂとは、センタープレート３１における第１プレート３１１と第２プレート３１２との境界を挟んで上下対称な形状となっている。
【００３３】
ここで、本実施例では、ヨーク３５の外筒部３５２は、第１磁石３２、センタープレート３１、及び第２磁石３３、の間に、これらの部位の周方向について全周に亘って巡るように全周ギャップＧＰ１１を形成している。また、外筒部３５２は、トッププレート３４との間については、トッププレート３４の周方向について断続的に部分ギャップＧＰ１２を形成している。部分ギャップＧＰ１２は、トッププレート３４の周方向に一定の間隔を開けて４箇所に円弧状のスリットとして設けられている。
【００３４】
ボイスコイルボビン２６は、図３及び図４に示されているように、本体円筒部２６１と、４つの舌片部２６２と、を備えている。本体円筒部２６１は、全周ギャップＧＰ１１に配置されている。この本体円筒部２６１の下端２６１ａ側の一部分が、センタープレート３１の外縁とヨーク３５の外筒部３５２との間に位置しており、この一部分に、ボイスコイル２５が巻かれている。
【００３５】
４つの舌片部２６２は、本体円筒部２６１から上方に延出している。これら４つの舌片部２６２が上記の４箇所の部分ギャップＧＰ１２を通って第２外殻部３０ｂの外へと突出している。そして、４つの舌片部２６２それぞれの上端２６２ａ近傍に図１に示されている振動板２２の内周２２１及びダンパー２４の内周２４１が固定されている。
【００３６】
図５は、図２〜図４に示されている第１実施例の磁気回路に対する比較例の磁気回路を示す図である。
【００３７】
この比較例の磁気回路５０は、センタープレート５１、第１磁石５２、第２磁石５３、及びヨーク５４、を備えている。
【００３８】
センタープレート５１は、第１実施例におけるセンタープレート３１と同様の二重プレートであり、その下面５１ａに第１磁石５２が重ねられて配置され、上面５１ｂに第２磁石５３が重ねられて配置されている。第２磁石５３は、第１磁石５２と磁力が反発する向きで配置される。ヨーク５４は、第１磁石５２に重ねられて配置される内周部５４１と、その外縁から上方へと延びた外筒部５４２と、を有している。ここで、比較例の磁気回路５０では、ヨーク５４の外筒部５４２は、センタープレート５１の上面５１ｂと略同じ高さまで延びたものとなっている。
【００３９】
ヨーク５４の外筒部５４２は、第１磁石５２及びセンタープレート５１の間に、これらの部位の周方向について全周に亘って巡るように全周ギャップＧＰ５１を形成している。第２磁石５３は、この外筒部５４２の上端縁から更に上方に突出して配置されている。
【００４０】
そして、このような比較例の磁気回路５０において、センタープレート５１の外縁とヨーク５４の外筒部５４２との間にボイスコイル６１が位置するようにボイスコイルボビン６２が配置される。
【００４１】
比較例の磁気回路５０では、第１磁石５２の第１磁束Ｍ５１と第２磁石５３の第２磁束Ｍ５２とは、ボイスコイル６１が位置するセンタープレート５１の外縁近傍において、互いに向きが略揃った状態で集中し、ボイスコイル６１の振動に利用される。その後、第１磁束Ｍ５１は、ヨーク５４の外筒部５４２及び内周部５４１を通り、第１磁石５２に至る。他方、第２磁束Ｍ５２は、外筒部５４２の上端縁から漏れ出て第２磁石５３に至る。このときの磁束は、ボイスコイル６１の近くを通る上に、センタープレート５１の外縁近傍とは逆向きに進む逆向き磁束Ｍ５２ａとなる。このため、比較例の磁気回路５０では、このような逆向き磁束Ｍ５２ａが、ボイスコイル６１の振動に影響を与える場合がある。
【００４２】
尚、ここでは、第１磁石５２及び第２磁石５３の磁束Ｍ５１，Ｍ５２が、図５に示すようにセンタープレート５１及びヨーク５４の順で通過して第１磁石５２及び第２磁石５３に帰還する場合について説明した。しかしながら、逆向き磁束がボイスコイル６１の振動に影響を与える事態は、第１磁石５２及び第２磁石５３の極性配置が逆向きになった次のような場合においても同様に生じ得る。即ち、第１磁石５２及び第２磁石５３の磁束が、図５とは逆にヨーク５４及びセンタープレート５１の順で通過して第１磁石５２及び第２磁石５３に帰還する場合にも同様に生じ得る。
【００４３】
一方、図２〜図４に示されている第１実施例の磁気回路３０では、第１磁石３２の第１磁束Ｍ３１及び第２磁石３３の第２磁束Ｍ３２は図４に示されているような経路を辿る。
【００４４】
まず、第１磁束Ｍ３１は、センタープレート３１の内部及びその近傍を通過した後は、ヨーク３５の外筒部３５２及び内周部３５１を通過して第１磁石３２へと至る。つまり、第１磁束Ｍ３１は、センタープレート３１の近傍以外では、略ヨーク３５を通過する。このため、第１磁束Ｍ３１のうちセンタープレート３１の近傍とは逆向きに進む逆向き磁束Ｍ３１ａがボイスコイル２５の振動に与える影響は抑えられる。この点は、上述した比較例の磁気回路５０と同様である。
【００４５】
他方、第２磁束Ｍ３２は、センタープレート３１の近傍からヨーク３５に至り、ヨーク３５の外筒部３５２の上端部からトッププレート３４へと通過して第２磁石３３へと至る。このとき、ヨーク３５の外筒部３５２が第２磁石３３よりも高い位置まで延びている。その結果、外筒部３５２の上端部からトッププレート３４へと、センタープレート３１の近傍とは逆向きに進む逆向き磁束Ｍ３２ａが辿る経路は、センタープレート３１の近傍から上方へと十分に離れることとなる。これにより、第２磁束Ｍ３２のうちの逆向き磁束Ｍ３２ａについても、ボイスコイル２５の振動に与える影響は抑えられる。
【００４６】
以上に説明したように、本実施例の磁気回路３０によれば、逆向き磁束Ｍ３１ａ，Ｍ３２ａ、特にトッププレート３４側の第２磁石３３の逆向き磁束Ｍ３２ａについて、ボイスコイル２５の振動に対する影響を抑えることができる。即ち、ボイスコイル２５の振動に寄与する磁束について磁気効率を向上させることができる。
【００４７】
尚、ここでも、上述した比較例の磁気回路５０と同様に、第１磁石３２及び第２磁石３３の磁束Ｍ３１，Ｍ３２が、図４に示すようにセンタープレート３１及びヨーク３５の順で通過して第１磁石３２及び第２磁石３３に帰還する場合について説明した。しかしながら、逆向き磁束の影響が抑えられる点については、第１磁石３２及び第２磁石３３の極性配置が逆向きになった次のような場合においても同様に生じ得ることができる。即ち、第１磁石３２及び第２磁石３３の磁束が、図４とは逆にヨーク３５及びセンタープレート３１の順で通過して第１磁石３２及び第２磁石３３に帰還する場合にも同様に得ることができる。
【００４８】
ここで、本実施例では、上記の外筒部３５２が、第１磁石３２、センタープレート３１、第２磁石３３、トッププレート３４との間に全周ギャップＧＰ１１及び部分ギャップＧＰ１２を形成している。
【００４９】
これにより、ボイスコイル２５は、センタープレート３１とヨークの外筒部３５２との全周ギャップＧＰ１１において、センタープレート３１の近傍の磁束を良好に受けて振動することができる。そして、その振動を、トッププレート３４と外筒部３５２との部分ギャップＧＰ１２を介して、スピーカ２０の振動板２２に良好に伝えることができる。
【００５０】
また、本実施例では、外筒部３５２とトッププレート３４との間については部分ギャップＧＰ１２が形成されている。そして、この部分ギャップＧＰ１２以外の箇所については、ヨーク３５の外筒部３５２がトッププレート３４に繋がっている。
【００５１】
ヨーク３５の外筒部３５２がトッププレート３４に繋がっている箇所は、第２磁石３３への逆向き磁束Ｍ３２ａの良好な通路となる。これにより、第２磁石３３への逆向き磁束Ｍ３２ａをセンタープレート３１の近傍から一層離すことができるので、ボイスコイル２５の振動への影響を更に抑えることができる。
【００５２】
また、図２に示されている第１実施例のスピーカ２０によれば、ボイスコイル２５を動作させるために、上述の磁気回路３０を採用しているので、ボイスコイル２５の振動に寄与する磁束について磁気効率を向上させることができる。
【００５３】
また、図２に示されている第１実施例の移動体１によれば、ボイスコイル２５の振動に寄与する磁束について磁気効率を向上させることができるスピーカ２０が搭載されているので、移動体本体１０の内部における良好な音声環境を得ることができる。
【００５４】
次に、第２実施例について説明する。この第２実施例では、トッププレート３４とヨーク３５の外筒部３５２との間に設けられた部分ギャップの形状が上述した第１実施例と異なっている。一方で、移動体、スピーカ、及び磁気回路の内部構造については、第１実施例と同等である。以下では、第２実施例について、これらの同等な内容については説明を割愛し、第１実施例との相違点に注目して説明を行う。
【００５５】
図６は、本発明の第２実施例に係る磁気回路を示す図である。尚、この図６では、図３に示されている構成要素と同等な構成要素については、図３と同じ符号が付されておいる。以下では、それら同等な構成要素の重複説明を割愛する。
【００５６】
この第２実施例の磁気回路７０では、トッププレート３４とヨーク３５の外筒部３５２との間に設けられた４箇所の部分ギャップＧＰ７１の形状が、上述した第１実施例のように円弧状のスリットではなく円形孔となっている。そして、この円形孔の部分ギャップＧＰ７１から、下端がボイスコイルボビン８６の本体円筒部に繋がった丸棒部８６２が延出している。第２実施例では、４本の丸棒部８６２の上端８６２ａ近傍に、図１に示されている振動板２２の内周２２１及びダンパー２４の内周２４１が固定される。
【００５７】
以上に説明した第２実施例の磁気回路７０でも、逆向き磁束についてボイスコイルの振動に対する影響を抑えることができ、即ち、ボイスコイルの振動に寄与する磁束について磁気効率を向上させることができることは言うまでもない。
【００５８】
次に、第３実施例について説明する。この第３実施例では、トッププレートとヨークの外筒部との間にも全周ギャップが設けられている点が上述した第１実施例と異なっている。この第３実施例についても、第１実施例との相違点に注目して説明を行う。
【００５９】
図７は、本発明の第３実施例に係る磁気回路を示す図である。
【００６０】
第３実施例の磁気回路９０は、センタープレート９１、第１磁石９２、第２磁石９３、トッププレート９４、及びヨーク９５、を備えている。ヨーク９５は、内周部９５１及び外筒部９５２を備えている。本実施例では、センタープレート９１、第１磁石９２、第２磁石９３、トッププレート９４、及びヨーク９５の内周部９５１は、互いに同心の円環形状を有している。
【００６１】
ヨーク９５の外筒部９５２は、内周部９５１の外縁から第１磁石９２の上面９２ａの近傍まで延びた第１円筒部分９５２ａと、その位置からトッププレート９４における上下方向の途中位置まで延びた第２円筒部分９５２ｂと、を備えている。そして、第２円筒部分９５２ｂの上端縁と、トッププレート９４の外縁と、の間には、外筒部９５２における他の部分とセンタープレート９１、第１磁石９２、及び第２磁石９３、との各間と同様に全周ギャップＧＰ９１が形成されている。
【００６２】
本実施例では、ボイスコイルボビン１０６が全体に亘って円筒型に形成されており、その下端１０６ａ側の一部分にボイスコイル１０５が巻かれている。このボイスコイルボビン１０６の上端１０６ｂ近傍が、トッププレート９４の周りの全周ギャップＧＰ９１を通って磁気回路９０の外部へと延出している。そして、このボイスコイルボビン１０６の上端１０６ｂ近傍に、図１に示されている振動板２２の内周２２１及びダンパー２４の内周２４１が固定される。
【００６３】
以上に説明した第３実施例の磁気回路９０でも、逆向き磁束についてボイスコイル１０５の振動に対する影響を抑えることができ、即ち、ボイスコイル１０５の振動に寄与する磁束について磁気効率を向上させることができることは言うまでもない。
【００６４】
尚、本発明は、以上に説明した実施例に限定されるものではなく、本発明の目的が達成できる他の構成等を含み、以下に示すような変形等も本発明に含まれる。
【００６５】
例えば、上述した第１実施例〜第３実施例では、本発明にいう移動体の一例として、乗用車である移動体１が例示されている。しかしながら、本発明にいう移動体はこれに限るものではなく、スピーカを搭載可能な移動体であれば大型車両や二輪車や鉄道車両、あるいは船舶等であってもよく、その具体的な態様を問うものではない。
【００６６】
また、上述した第１実施例〜第３実施例では、本発明にいうスピーカや磁気回路の各一例として、図２〜図４、及び図７に示された外観や内部構造を有するスピーカ２０や磁気回路３０，７０，９０が例示されている。しかしながら、本発明にいうスピーカや磁気回路はこれらに限るものではなく、本発明の目的が達成できる構成を有する限りにおいては、その具体的な外観や内部構造については任意に設定し得る。
【符号の説明】
【００６７】
１      移動体
１０    移動体本体
２０    スピーカ
２１    フレーム
２２    振動板
２２ａ  貫通孔
２３    センターキャップ
２４    ダンパー
２５，１０５    ボイスコイル
２６，８６，１０６    ボイスコイルボビン
３０，７０，９０    磁気回路
３０ａ  第１外殻部
３０ｂ  第２外殻部
３１，９１    センタープレート
３１ａ，３２ａ  下面
３１ｂ，３３ａ，９２ａ  上面
３２，９２    第１磁石
３３，９３    第２磁石
３４，９４    トッププレート
３５，９５    ヨーク
１０６ａ，２６１ａ  下端
１０６ｂ，２６２ａ，８６２ａ  上端
２１１  上端部
２１２  中間部
２２１，２４１  内周
２２２，２４２  外周
２６１  本体円筒部
２６２  舌片部
３１１  第１プレート
３１２  第２プレート
３５１，９５１  内周部
３５２，９５２  外筒部
３５２ａ，９５２ａ  第１円筒部分
３５２ｂ，９５２ｂ  第２円筒部分
８６２  丸棒部
ＧＰ１１，ＧＰ９１  全周ギャップ
ＧＰ１２，ＧＰ７１  部分ギャップ
Ｍ３１    第１磁束
Ｍ３１ａ，Ｍ３２ａ  逆向き磁束
Ｍ３２，Ｍ３２ａ    第２磁束
【図１】
2019176333.tif 000003
【図２】
2019176333.tif 000004
【図３】
2019176333.tif 000005
【図４】
2019176333.tif 000006
【図５】
2019176333.tif 000007
【図６】
2019176333.tif 000008
【図７】
2019176333.tif 000009